(57)【要約】【課題】投射レンズのシフトを簡便に行うとともにコンパクト化を図る。【解決手段】フレームカバー２５とメインフレーム２８とで鏡筒１９を保持するスライドフレーム２７を光軸Ｏに直交する面方向に移動自在に支持する。鏡筒１９の横にレバー２９を設ける。レバー２９の先端を揺動操作することでメインフレーム２８に設けた支店３２を中心として先端と支点３２との間の作用点３６でスライドフレーム２７を移動する。この移動は、スライドフレーム２７とフレームカバー２５との間に配したガイドフレーム２６と、ガイドフレーム２６とスライドテーブル２７との間及びフレームカバー２５とガイドフレーム２６との間で係合する凹凸３７，３８、４０〜４３，４６，４７とで構成されるガイド手段で前記面内で交差する二方向にガイドされる。【選択図】        図３
2004226719.tif 000002
【特許請求の範囲】
【請求項１】
投射レンズを基準光軸に直交する方向にシフトする投射レンズシフト装置において、
前記基準光軸に直交する基準面を有するメインフレームと、
前記投射レンズを保持したスライドフレームと、
前記メインフレームとの間に前記スライドフレ−ムを前記基準面に沿って移動自在に保持するとともに、スライドフレームを基準光軸方向で位置決めするフレ−ムカバーと、
前記メインフレーム又はフレームカバーといずれか一方で支点が支持され、外部に露呈した一端を力点にして揺動操作したときに作用点に生じる押圧力で前記スライドフレームを前記基準面に沿って移動させる操作レバーと、
前記メインフレーム又はフレームカバーとのいずれか一方とスライドフレームとの間に前記基準面に沿って移動自在に設けられ、前記スライドフレームとの間の係合により、前記操作レバーの操作に伴うスライドフレームの移動を前記基準面と平行な一方向にガイドする第１ガイドが設けられたガイドフレームとを有し、
前記ガイドフレームには、前記メインフレーム又はフレームカバーのいずれか一方との間の係合により、前記操作レバーの操作に伴うスライドフレームの移動を前記一方向に交差する他方向にガイドする第２ガイドが設けられていることを特徴とする投射レンズシフト装置。
【請求項２】
前記第１ガイドは、前記ガイドフレームとスライドフレームとの対向する面にそれぞれ設けた、互いに係合する一方向用の凹凸の相対的な移動により前記スライドフレームの移動をガイドフレームに対して前記一方向にガイドし、
また、第２ガイドは、前記ガイドフレームと前記メインフレーム又はフレームカバーとのいずれか一方との対向する面にそれぞれ設けた、互いに係合する他方向用の凹凸の相対的な移動により前記メインフレーム又はフレームカバーに対して前記スライドフレームの移動をガイドフレームとともに前記他方向にガイドすることを特徴とする請求項１記載の投射レンズシフト装置。
【請求項３】
前記一方向用の凹は、前記一方向用の凸の前記一方向への移動を許容し、かつ前記他方向への移動を阻止するとともに、
前記他方向用の凹は、前記他方向用の凸の前記他方向への移動を許容し、かつ前記一方向への移動を阻止することを特徴とする請求項１又は２記載の投射レンズシフト装置。
【発明の詳細な説明】
【０００１】
【発明の属する技術分野】
本発明は、光源からの光を液晶やＤＭＤ（Ｒ）（デジタル・マイクロミラー・デバイス）で変調し、投射レンズでスクリーン上に像を投射するプロジェクタ等に用いるシフト装置に関するものである。
【０００２】
【従来の技術】
プロジェクタの設置場所の制約などでプロジェクタを傾けて配置することにより生じる像面の歪みを防止するために、投射レンズを像面と平行に移動させるシフト手段を備えたビデオプロジェクタ装置が提案されている（特許文献１）。そのシフト手段は、投射レンズの左右にリードスクリュとガイド棒とを平行に設け、投射レンズを支持する板をこれらリードスクリュとガイド棒とに係合させて投射レンズを一方向に移動させている。
【０００３】
また、投射レンズを自在に移動させるようにした画像投射装置が提案されている（特許文献２）。この装置には、投射レンズを支持する板を磁石やバネの力を利用して半固定に設け、投射レンズを保持する鏡筒を掴んで移動させている。また、別に、投射レンズの中心軸に垂直な一方向に投射レンズを平行移動させる第１機構とその中心軸に平行な軸の周りに回転させる第２の機構とを設けた例も提案されている。
【０００４】
【特許文献１】
実開平３−５６９２５号公報
【特許文献２】
特開平５−２４９４０９号公報
【０００５】
【発明が解決しようとする課題】
しかしながら、後者公報記載の装置の前述した例では、重い投射レンズを任意の位置に維持させる分の力が磁石やバネに必要となる。このため、移動操作にかなりの力が必要となり、さらには正確な位置に移動させることも困難となる。また、鏡筒を掴んで移動操作するため、鏡筒が変形するおそれがある。さらに、鏡筒にはフォーカスリングやズームリングなどが露呈しているため、移動操作のときにこれらを回転してしまい、移動操作終了後に再びフォーカス調節や変倍調節をやり直す必要が生じる。
【０００６】
後者公報記載の装置の後述した例では、第１機構を構成するアリ溝と第２機構を構成する回転板との嵌め合わせをきつくすることで任意の位置に鏡筒を保持させているため、調節操作に力が必要となり、また微調節がし難い。さらには、鏡筒を掴んで一方向に移動させ、その後に回転させる２段階の手順が必要になり、操作が面倒である。
【０００７】
本発明は上記の事情を考慮してなされたもので、シフト調節操作を簡便に行え、また微調節も正確に行え、しかも操作によって鏡筒が変形することのないように工夫した投射レンズシフト装置を提供することを目的とする。
【０００８】
【課題を解決するための手段】
上記目的を達成するために、本発明の投射レンズシフト装置では、基準光軸に直交する基準面を有するメインフレームと；投射レンズを保持したスライドフレームと；前記メインフレームとの間に前記スライドフレ−ムを前記基準面に沿って移動自在に保持するとともに、スライドフレームを基準光軸方向で位置決めするフレ−ムカバーと；前記メインフレーム又はフレームカバーとのいずれか一方で支点が支持され、外部に露呈した一端を力点にして揺動操作したときに作用点に生じる押圧力で前記スライドフレームを前記基準面に沿って移動させる操作レバーと；前記メインフレーム又はフレームカバーとのいずれか一方とスライドフレームとの間に前記基準面に沿って移動自在に設けられ、スライドフレームとの間の係合により、前記操作レバーの操作に伴うスライドフレームの移動を前記基準面と平行な一方向にガイドする第１ガイドが設けられたガイドフレームとを有し；前記ガイドフレームに、前記メインフレーム又はフレームカバーのいずれか一方との間の係合により前記操作レバーの操作に伴うスライドフレームの移動を前記一方向に交差する他方向にガイドする第２ガイドを設けたものである。
【０００９】
投射レンズを取り付けたスライドフレームは、メインフレームとフレームカバーとで挟装されている。操作レバーの一端を揺動自在に操作すると、支点を中心として移動する作用点でスライドフレームを移動する。スライドフレームの移動は、第１及び第２ガイドにより一方向への移動とこれに交差する他方向への移動とに分解されてガイドされる。第１ガイドは、ガイドフレームがスライドフレームを一方向にガイドする。第２ガイドは、メインフレーム又はフレームカバーがガイドフレームを他方向にガイドする。このときガイドフレームはスライドフレームとともに移動して、結果スライドフレームを他方向にガイドすることになる。
【００１０】
投射レンズが移動すると、光軸が基準光軸に対して平行移動し、基準光軸に対して投射光軸が傾いて投影像が移動する。ここで、投射光軸は、投影画像の表示面の中心とレンズ主点とを結ぶ軸である。基準光軸は、投射光軸がスクリーン（像面）に直交するときの光軸である。
【００１１】
第１ガイドとしては、前記ガイドフレームとスライドフレームとの対向する面にそれぞれ設けた、互いに係合する一方向用の凹凸の相対的な移動によりスライドフレームの移動をガイドフレームに対して前記一方向にガイドし；また、第２ガイドとしては、前記ガイドフレームと前記メインフレーム又はフレームカバーとのいずれか一方との対向する面にそれぞれ設けた、互いに係合する他方向用の凹凸の相対的な移動により前記メインフレーム又はフレームカバーに対して前記スライドフレームの移動を前記ガイドフレームとともに前記他方向にガイドするようにしてもよい。
【００１２】
一方向用の凹は、前記一方向用の凸の前記一方向への移動を許容し、かつ前記他方向への移動を阻止するとともに、他方向用の凹は、前記他方向用の凸の前記他方向への移動を許容し、かつ前記一方向への移動を阻止する。これら凹凸は、基準光軸を中心とする周方向の等分割位置に設けるのが望ましい。
【００１３】
これによれば、操作レバーの操作だけで投影レンズを簡単に移動させることができるので操作が簡便に行える。しかもガイド手段を備えているから、操作レバーの操作方向にスライドフレームを確実に案内することができる。このため、微調節が確実に行える。また、投射レンズを保持する鏡筒を持って操作をしないのでフォーカスリングを動かしたり、鏡筒が変形するような不都合が生じるおそれもない。
【００１４】
【発明の実施の形態】
本発明を採用した液晶プロジェクタ７は、図１に示すように、投射レンズ８、投射レンズシフト機構９、及び合成画像形成部１０で構成されている。合成画像形成部１０は、光源１１、ダイクロイックミラー１２，１３、液晶パネル１４ａ〜１４ｃ、ダイクロイッククロスプリズム１５、反射鏡１７とから構成されており、光源１１から放出された白色光をダイクロイックミラー１２，１３で赤色光，青色光，緑色光の３つの色光に分解し、各色光を３つの透過型液晶パネル１４ａ〜１４ｃに各々入射させて対応する色の画像を表示させるとともに、これら３つの画像の色光を反射鏡１７及びダイクロイッククロスプリズム１５で光学的に合成する。合成画像は、ダイクロイッククロスプリズム１５の射出面１５ａから投射レンズ８に射出され、投射レンズ８でスクリーン１８の上に投影される。なお、合成画像形成部１０としては、液晶の代わりに、ＤＭＤ（Ｒ）（デジタル・マイクロミラー・デバイス）を用いたものを採用してもよい。
【００１５】
投射レンズ８を保持する鏡筒１９は、プロジェクタ７の本体カバー２０の前面から外部に露呈している。鏡筒１９には、フォーカス調節つまみ２１が設けられている。フォーカス調節つまみ２１を回転操作することでスクリーン１８に投影される像のピントを調節することができる。また、鏡筒１９の周りには、投射レンズ８をシフトするためのレバーボタン２２が配されている。レバーボタン２２は、投射レンズ８の光軸Ｏとほぼ平行に突出しており、先端が本体カバー２０の前面から外部に露呈している。投射レンズ８のシフトはロックされており、レバーボタン２２を押すことでそのロックが解除され、そのままレバーボタン２２を上下左右のあらゆる方向に操作することで投射レンズ８を像面（スクリーン１８面）と平行に移動することができる。なお、図に示す光軸Ｏは基準光軸となっている。
【００１６】
投射レンズシフト機構９は、図２及び図３に示すように、フレームカバー２５、ガイドフレーム２６、スライドフレーム２７、メインフレーム２８、レバー２９、ブレーキフレーム３０、及びレバーボタン２２などで構成されている。フレ−ムカバー２５、ガイドフレーム２６、スライドフレーム２７、及びメインフレーム２８は、板状となっており、各々の面を光軸Ｏに直交する向きでスクリーン１８の側から順に並べて配されている。これにより、メインフレーム２８のスクリーン１８の側の面２８ａも光軸Ｏに直交する面となっている。
【００１７】
メインフレーム２８は、プロジェクタ７に固定されている。このメインフレーム２８には、フレームカバー２５が固定される。ガイドフレ−ム２６及びスライドフレーム２７は、フレームカバー２５とメインフレーム２８との間で光軸Ｏに交差する方向に各々スライド自在となるように挟装されている。
【００１８】
メインフレーム２８には、光軸Ｏ上に鏡筒１９を挿通する開口３１が形成されており、また開口３１を挟んだ一方側にレバー２９が取り付けられている。レバー２９は、根元部３２がボールジョイントを介してメインフレーム２８に固定されている。
【００１９】
スライドフレーム２７には、光軸Ｏ上に形成した鏡筒１９を挿通する開口３３と、その開口３３の周りで鏡筒１９を保持する鏡筒取り付け部３４と、レバー２９を挿通するレバー用開口３５とが設けられている。レバー用開口３５は、縁がレバー２９の先端と根元部との間に設けた当接部３６に当接する。鏡筒取り付け部３４は、鏡筒１９の外周に設けた凸部にバヨネット結合する凹部となっている。なお、バヨネット結合の構造に限らず、ネジ式で取り付ける構造でもよい。このスライドフレーム２７には、一対のガイド突起３７，３８がガイドフレーム２６に向けて突出して設けられている。一対のガイド突起３７，３８は、開口３３を挟んだ両側にそれぞれ配されている。
【００２０】
ガイドフレーム２６には、鏡筒１９を挿通する開口３９、及び、４個のガイド開口４０〜４３とが設けられている。４個のガイド開口４０〜４３は、光軸Ｏに直交する面と平行な一方向に向けて長く形成した一対の一方向ガイド開口４０，４１と、一方向に交差する他方向に向けて長く形成した一対の他方向ガイド開口４２，４３とで構成されており、これらは光軸Ｏに直交する面内で交差する方向に配されている。なお、光軸Ｏを中心とする交差線上に配してもよい。
【００２１】
詳しくは図４に示すように、一対の一方向ガイド開口４０，４１には、前記一対のガイド突起３７，３８が各々係合している。これにより、ガイドフレーム２６は、スライドフレーム２７の移動を前記一方向にガイドし、そして、他方向への移動を阻止している。なお、ガイド開口４０〜４３の代わりにガイド溝としてもよい。また、ガイド突起の代わりに、ベアリングやベアリングローラ等を用いたカムフォロアーを使用してもよい。
【００２２】
フレームカバー２５は、メインフレーム２８との間での光軸Ｏの方向でスライドフレーム２７を位置決めしている。フレ−ムカバー２５には、鏡筒１９を露呈する開口４５、一対のガイド突起４６，４７、及びレバー２９の先端を露呈する規制用開口４８とが設けられている。一対のガイド突起４６，４７は、ガイドフレーム２６に向けて各々突出しており、前記一対の他方向ガイド開口４２，４３に各々係合している。これにより、フレームカバー２５は、ガイドフレーム２６の移動を前記他方向にガイドし、一方向への移動を阻止している。
【００２３】
フレームカバー２５には、スライドフレーム２７の前面２７ａをメインフレーム２８に向けて押し付ける複数の付勢手段４９が設けられている。各付勢手段４９は、バネ５０とブッシュ５１とで構成されている。これにより、スライドフレーム２７が前記面２８ａに常に押し当てられているから投射レンズ８の光軸が基準光軸Ｏに対して傾くことを確実に防止することができる。なお、付勢手段４９は、複数に限らず１個でもよい。
【００２４】
スライドフレーム２７が移動すると、投射光軸がスクリーンに直交する投影レンズ８の位置、すなわち、移動範囲の中心となる位置がわからなくなる。そこで、レバー２９を基準位置に位置決めするためのクリック機構を設けている。クリック機構は、水平方向用クリック機構と垂直方向用クリック機構とで構成されており、これらは各ブッシュ５１の先端に設けた突起５５と、突起５５が係合する水平及び垂直方向溝５６，５７とで構成されている。水平及び垂直方向溝５６，５７は、スライドフレーム２７に一段突出して設けた複数の座面５８に形成されている。各座面５８には、ブッシュ５１が各々当接する。レバー２９が移動範囲の中心に位置したときには、ブッシュ５１の突起５５が水平及び垂直方向溝５６，５７に同時に入り込み、このときのクリック感でレバー２９を介してレバーボタン２２に操作範囲の中心に位置したことを知らせる。
【００２５】
レバー２９は、本発明の操作レバーを構成している。図５に示すように、レバー２９のボールジョイントは、根元部３２の端部に形成したボール部６２と、ボール部６２をメインフレーム２８に自在に取り付けるキャップ部とから構成されている。キャップ部は、球帯部６３、メインフレーム２８に形成した凹部６４、及び保持部材６５とで構成されている。凹部６４には、ボール部６２が自由に回るように係合し、レバー２９の先端２９ａの移動をガイドする。球帯部６３は、ボール部６２の上に形成されており、断面カサ状となっている。保持部材６５は、レバー２９の先端２９ａ及び当接部３６を挿通するための開口６６を有し、球帯部６３の外面を覆うようにメインフレーム２８に固定され、レバー２９の移動を許容しながらレバー２９が凹部６４から抜け出さないように保持する。
【００２６】
レバー２９は、ボール部６２を支点、先端２９ａを力点として作用点となる当接部３６がスライドフレーム２７に設けたレバー用開口３５の内壁を押圧し、レバー２９の揺動操作に応じてスライドフレーム２７を移動させる。そして、当接部３６とレバー用開口３５とは、スライドフレーム２７の移動量を長くとるためにボール部５２から離れた位置に形成されている。
【００２７】
当接部３６と先端２９ａとの間には、球状に膨出した規制用当接部６７が形成されている。規制用当接部６７の周りにはフレームカバー２５に設けた規制用開口４８の内壁が対面しており、この規制用開口４８はレバー２９の移動範囲を規制する大きさで形成されている。
【００２８】
スライドフレーム２７には、鏡筒１９の重さが加わる。これにより振動などの要因により簡単に移動するおそれがある。そこでシフト操作を行っていないときにスライドフレーム２７の移動をロックするブレーキ機構が設けられている。ブレーキ機構は、図６にも示すように、レバーボタン２２、ブレーキフレーム３０、及びバネ６０で構成されている。
【００２９】
レバーボタン２２は、レバー２９の先端２９ａに取り付けられ、先端２９ａから突出する突出位置と根元部３２に向けて押し込まれる押込位置との間でレバー２９の軸方向に移動自在となっている。レバーボタン２２の根元には、断面傘状の押圧用球帯部２２ａが設けられている。
【００３０】
ブレーキフレーム３０は、一端３０ａが押圧用球帯部２２ａとフレームカバー２５との間に入り込み、また他端３０ｂにはブレーキシュー７０が取り付けられている。ブレーキシュー７０は、鏡筒１９を挟んだ両側に一対設けられており（図３参照）、各々フレームカバー２５及びガイドフレーム２６に設けた開口７５，７６を通してスライドフレーム２７の前面（スクリーン側の面）２７ａに臨んでいる。
【００３１】
一端３０ａと他端３０ｂとの間には、垂直方向に沿って突出した軸部７１，７２が設けられている。軸部７１，７２は、フレームカバー２５に設けた軸受け部７３，７４に軸受けされ、軸受け部７３，７４は、ブレーキフレーム３０を回転自在に支持する。ブレーキフレーム３０は、ロック位置とロック解除位置との間で回転し、バネ６０によりロック位置に向けて常に付勢されている。ロック位置では、ブレーキシュー７０がスライドフレーム２７の前面２７ａに当接してスライドフレーム２７の移動をロックする。ロック解除位置では、ブレーキシュー７０がスライドフレーム２７の前面２７ａから離れてスライドフレーム２７の移動を許容する。
【００３２】
ブレーキフレーム３０には、一端３０ａに被球帯部７７が設けられている。被球帯部７７には、レバーボタン２２を押込位置に移動したときに押圧用球帯部２２ａの裏面が当接する。ブレーキフレーム３０は、レバーボタン２２を押込位置に移動すると被球帯部７７が押圧用球帯部２２ａで押されてロック解除位置に向けてバネ６０の付勢に抗して回転する。
【００３３】
被球帯部７７には、レバー２９の移動を許容するための開口７８が設けられている。押圧用球帯部２２ａの裏面及び被球帯部７７の前面は、ボール部６２を中心として移動する軌跡に沿う球面となっている。レバーボタン２２は、シフト操作時に押圧用球帯部２２ａの裏面が被球帯部７７の前面のうちの開口７８の周りに摺動するため、レバー２９の軸を倒す方向に移動することができる。
【００３４】
上記構成の作用を説明する。シフト機構９の初期状態は、図３に示すように、ブレーキフレーム３０がバネ６０の付勢により軸部７１，７２を中心として時計方向（ロック位置の方向）に向けて付勢されており、この付勢をレバーボタン２２が突出位置で受け止めている。よってレバーボタン２２が突出位置のときには、ブレーキフレーム３０がロック位置となっている。ブレーキフレーム３０がロック位置のときには、図６に示すように、バネ６０の付勢によりブレーキシュー７０がスライドフレーム２７の面８０に押圧され、ブレーキシュー７０とメインフレーム２８との間でスライドフレーム２７が挟圧される。このためスライドフレ−ム２７の移動がロックされる。
【００３５】
ロック解除操作は、レバーボタン２２を押込位置に押し込む。レバーボタン２２を押込位置に押すと、レバー２９に対してレバーボタン２２が軸方向に移動して押圧用球帯部２２ａが被球帯部７７を軸方向に押して、ブレーキフレーム３０がバネ６０の付勢に抗してロック解除位置に回転する。これにより、図７に示すように、ブレーキシュー７０がスライドフレーム２７の面８０から離れ、スライドフレーム２７の移動が許容される。
【００３６】
シフト操作はロック解除操作を保ったまま行う。この操作は、レバーボタン２２を押し込んだままレバーボタン２２を上下左右を含むあらゆる方向、すなわち、レバー２９の軸を倒す方向に操作する。すると、その力がレバー２９に伝達されてレバー２９がボール部６２を中心にしてレバーボタン２２と同じ操作方向に移動する。この移動は当接部３６からレバー用開口３５の内壁に伝達され、スライドフレーム２７が移動する。ところで、単にレバー２９の移動だけでは、スライドフレーム２７が投射レンズ８の光軸Ｏに直交する面内で回転するだけでレバー２９の操作通りにスライドフレーム２７が移動しない。そこで、ガイド手段が設けられている。
【００３７】
ガイド手段は、図４で説明したように、ガイドフレーム２６、４個のガイド突起３７，３８，４６，４７、４個のガイド開口４０〜４３などで構成されている。レバーボタン２２を操作してレバー２９の当接部３６が移動範囲の基準位置Ｐ０から位置Ｐ１に移動した場合、位置Ｐ１までの直線距離は、投射レンズ８の光軸Ｏに直交する面内において、前記面内で直交する二方向のうちの一方向に沿った距離Ｘ１と他方向に沿った距離Ｙ１とに分解することができる。
【００３８】
スライドフレ−ム２７の距離Ｘ１への移動は、スライドフレーム２７のガイド突起３７，３８がガイドフレーム２６の一方向ガイド開口４０，４１に沿って移動する。このとき、フレームカバー２５のガイド突起４６，４７がガイドフレーム２６の他方向ガイド開口４２，４３の幅方向の縁に当接してフレームカバー２５がガイドフレーム２６の移動を止めている。よって、距離Ｘ１に移動するときには、スライドフレーム２７のみが移動する。
【００３９】
また、スライドフレ−ム２７の距離Ｙ１への移動は、ガイド突起３７，３８が一方向ガイド開口４０，４１の幅方向の縁を押すため、スライドフレーム２７がガイドフレーム２６を他方向に向けて押す。ガイドフレーム２６は、一対のガイド突起４６，４７が他方向ガイド開口４２，４３に沿って移動するため、フレームカバー２５に対して他方向に移動される。これにより、距離Ｙ１に移動するときには、スライドフレーム２７とともにガイドフレーム２６も一緒に移動する。
【００４０】
上記では、スライドフレーム２７の移動を、光軸Ｏに直交する面内で互い交差する二方向のうちの一方向及び他方向への移動とにそれぞれ分解して説明しているが、実際にはこれら一方向及び他方向への移動がほぼ同時に行われるため、スライドフレーム２７をレバーボタン２２の操作と同じ方向に移動させることができる。これにより、合成画像形成部１０の表示面に対して投射レンズ８が平行に移動し、それによって投射レンズ８のシフト量に応じて表示面の中心と投射レンズ８のレンズ主点とを結ぶ投射光軸が光軸Ｏに対して傾き、よって、スクリーン１８へ投射された像がレバーボタン２２の操作と同じ方向に移動する。
【００４１】
レバーボタン２２でのシフト操作が完了した後には、レバーボタン２２から手を離す。すると、レバーボタン２２の押込位置への押圧が開放されるため、バネ６０の付勢によりブレーキフレーム３０がロック位置に回転し、そしてその回転に連動してレバーボタン２２が突出位置に移動する。
【００４２】
なお、本実施形態では、一方向ガイド開口４０，４１を正面（スクリーン側の面）から見た水平方向に対して反時計方向に４５度傾けた直線上に沿って配し、この方向を一方向としている。スライドフレーム２７の移動範囲が近似になるように考慮すると、例えば一方向ガイド開口４０，４１を水平方向に沿って形成したものと比較すると、４５度傾けた方が一方向及び他方向に沿ったガイド開口の長さを短くすることができ、よってコンパクト化を図ることができる。
【００４３】
また、スライドフレーム２７の移動範囲の輪郭は、ガイド手段のガイドにより４５度傾けた略矩形状になる。よって、規制用開口４８の輪郭もそれに相似の形状となる。しかし、投射レンズ８の投影輪郭は通常円形であり、また３つの透過型液晶パネル１４ａ〜１４ｃの表示範囲は矩形であるため、ガイド手段がガイドする最大移動範囲に合わせて規制用開口４８を作ると、スクリーン１８へ投射される投影輪郭から合成画像の輪郭がはみ出るおそれがある。そこで、規制用開口４８を合成画像の輪郭が投影輪郭からはみ出ない軌跡に沿って作るのが望ましい。この場合、規制用開口４８の輪郭を構成する辺が各々中心位置が異なる円弧となる。
【００４４】
上記実施形態では、ガイドフレーム２６をフレームカバー２５とスライドフレーム２７との間に配しているが、代わりにスライドフレーム２７とメインフレーム２８との間に配しても良い。この場合、ガイド突起４６，４７をメインフレーム２８に設け、また、スライドフレーム２７の前面に設けたガイド突起３７，３８を背面に設ければよい。
【００４５】
また、上記実施形態では、ガイド開口４０〜４３とガイド突起３７，３８，４６，４７との係合でガイド手段を構成しているが、開口と突起とを逆に設けても良い。また、これらガイド開口４０〜４３とガイド突起３７，３８，４６，４７を一方向及び他方向のガイド用として一対ずつ設けているが、３個以上ずつ設けても良い。ガイド開口及びガイド突起を複数設ける場合には、正面から見て光軸Ｏを中心とする周方向の等分割位置にそれぞれ設けるのがスムーズな移動が得られるから望ましい。
【００４６】
上記実施形態では、レバー２９の根元になるボール部６２を支点、先端２９ａを力点として先端２９ａと根元部３２との間に設けた当接部３６を作用点としている。しかし本発明ではこのような構造に限らず、例えば、レバー２９の中間を支点にして作用点を根元部としてこの根元部でスライドフレーム２７を移動させるように構成してもよい。この場合も支点の位置が違うだけでテコの原理を用いるから操作が容易となる。また、支点をメインフレーム２８に取り付けているが、代わりにフレームカバー２５に取り付けてもよい。
【００４７】
また、レバー２９の移動を規制する規制用開口としは、フレームカバー２５に設けることに限らず、例えばブレーキフレーム３０に設けた開口７８を規制用開口として良い。
【００４８】
さらに、レバーボタン２２を設ける位置としては、投射レンズ８が露呈するプロジェクタ７の前面に限らず、操作し易いようにプロジェクタ７の上面に設けても良い。また、上記実施形態では、スライドフレーム２７をメインフレーム２８に向けて押し付ける４個の付勢手段４９を備えているため、スライドフレームの移動をロックするロック機構を省略してもよい。
【００４９】
【発明の効果】
以上のように、本発明の投射レンズシフト装置では、ジョイステック（コントロールレバー）式の操作レバーを設けたから、操作が簡便に行える。また、操作レバーの操作でスライドフレームを移動させる構成はテコの原理を利用しているので操作が容易に行える。さらに、ガイド手段で操作レバーの移動方向と同じにスライドフレームをガイドするから、操作レバーの揺動操作をスライドフレームに確実に伝達することができる。このため、微調節も正確に行える。また、操作レバーを設けているから鏡筒を触ることがなく、よって従来技術で説明した例と比較して鏡筒の変形を防止でき、また不用意にフォーカスリングを回してピントが狂うことを確実に防止することができる。さらに、ガイド手段を、メインフレームとフレームカバーとの間に挟装されるガイドフレームと、メインフレーム又はフレームカバー、ガイドフレーム、及びスライドフレームとの間に設けた第１及び第２ガイドとの構成にしたから、シフト装置の投射光軸方向の厚みをコンパクトにすることができる。
【図面の簡単な説明】
【図１】本発明のプロジェクタの概略を示す説明図である。
【図２】投射レンズシフト機構を示す斜視図である。
【図３】投射レンズシフト機構を示す分解斜視図である。
【図４】投射レンズシフト機構を示す断面図であり、光軸に対して上側を一方向に、下側を他方向に沿って切断している。
【図５】投射レンズシフト機構を示す正面中央横断面図である。
【図６】ブレーキシューの位置で切断した投射レンズシフト機構を示す横断面図であり、スライドフレームの移動をロックした状態を示している。
【図７】ブレーキシューの位置で切断した投射レンズシフト機構を示す横断面図であり、スライドフレームの移動をロック解除した状態を示している。
【符号の説明】
８  投射レンズ
９  シフト機構
１９  鏡筒
２２  レバーボタン
２５  フレームカバー
２６  ガイドフレーム
２７  スライドフレーム
２８  メインフレーム
２９  レバー
３７，３８、４６，４７  ガイド突起
４０，４１  一方向ガイド開口
４２，４３  他方向ガイド開口
【図１】
2004226719.tif 000003
【図２】
2004226719.tif 000004
【図３】
2004226719.tif 000005
【図４】
2004226719.tif 000006
【図５】
2004226719.tif 000007
【図６】
2004226719.tif 000008
【図７】
2004226719.tif 000009